(57)【要約】 【課題】  本発明は電磁波を防止する携帯電話を提供する。【解決手段】  携帯電話は、上体１にスピーカ１０を、下体２に制御回路とマイク１４を内蔵してあり、上体１と下体２の何れかにスライド体５を付設し、他方にスライド体５を収納するスライド孔を形成して、上体１と下体２をスライド体５で連結して形成してある。【選択図】        図１
2005354311.tif 000002
【特許請求の範囲】
【請求項１】
上体にスピーカを、下体に制御回路とマイクを内蔵の携帯電話であって、
上体と下体の何れかにスライド体を付設し、他方にスライド体を収納するスライド孔を形成して、
上体と下体をスライド体で連結してあることを特徴とする携帯電話。
【請求項２】
スライド体に曲折可能な上体を付設し、下体に前記スライド体を収納可能なスライド孔を形成の鞘体を付設してなることを特徴とする請求項１の携帯電話。
【請求項３】
上体にスピーカを、下体に制御回路とマイクを内蔵の携帯電話であって、中体の端部に前記上体を曲折可能に付設すると共に、前記中体の他端部に前記下体を折り畳み可能に付設してなることを特徴とする携帯電話。
【発明の詳細な説明】
【技術分野】
【０００１】
本発明は、携帯電話に関し、より詳細には電磁波防止に関する。
【背景技術】
【０００２】
近年、携帯電話の普及は目ざましく、多くの人が所有している。又、この携帯電話には、種々の機能が搭載してあり、その制御にはＣＰＵ等を含む制御回路が組み込んである。
【発明の開示】
【発明が解決しようとする課題】
【０００３】
前記制御回路には、電磁波を発生する素子が含まれており、電磁波による身体への影響が問題である。
この電磁波の対策には、電磁波を遮蔽するケースも考えられるが、簡便にして効果的な対策が望まれている。
そこで、本発明は、かかる課題を解消する携帯電話を提供するものである。
【課題を解決するための手段】
【０００４】
請求項１の携帯電話は、上体にスピーカを、下体に制御回路とマイクを内蔵してあり、上体と下体の何れかにスライド体を付設し、他方にスライド体を収納するスライド孔が形成してある。
そして、上体と下体はスライド体で連結して形成してあるので、このスライド体によって上体と下体の距離は長くなり、脳から下体（電磁波発生源）が遠ざかるので、電磁波の影響を弱めることができる。
請求項２の携帯電話は、上体と下体を連結する構造に鞘体を用い、スライド体に曲折可能な上体を付設し、下体に前記スライド体を収納可能なスライド孔を形成の鞘体を付設して構成するものである。
【０００５】
又、請求項３の携帯電話は、上体にスピーカを、下体に制御回路とマイクを内蔵してあり、中体の端部に前記上体を曲折可能に付設すると共に、前記中体の他端部に前記下体を折り畳み可能に付設してなるものである。この中体に上体と下体を折り畳むことによって未使用時には短くなり、使用時には中体の分だけ、上体と下体が遠ざかるので、脳から下体（電磁波発生源）が遠ざかるので、電磁波の影響を弱めることができる。
【発明の効果】
【０００６】
本願の携帯電話は、使用時に電磁波を発生する下体は脳から遠ざかった状態で会話ができるので、電磁波の悪影響を弱めることができる。
【発明を実施するための最良の形態】
【０００７】
本発明を図面を参照して説明する。図１（Ａ）は、スライド可能な携帯電話の斜視図である。携帯電話は、上体１と下体２で構成してあり、上体１にはスライド体５が付設してあり、下体２には、前記スライド体５を挿入可能なスライド孔６を形成の鞘体７が付設してある。又、上体１はスライド体５の上面に載置するように曲折可能に形成してあると共に、下体２はスライド体５の裏面に接するように曲折可能に構成してある。
前記上体１には、スピーカ１０の他に液晶画面１１が取り付けてあり、下体２には押し釦１３、この押し釦１３の下にマイク１４等が付設してある。尚、前記マイク１３の位置が、スピーカ１０との距離が、使用者によって遠い場合に備えて、鞘体７の下部にも第２マイク１４ａが設けてある。
そして、前記スライド体５、鞘体７内には、前記上体１のスピーカ１０や液晶画面１１と下体２に内蔵の制御装置（図示略）とを連結する信号線がある。
【０００８】
前記上体１と下体２及びそれらを連結するスライド体５、鞘体７で構成の携帯電話は、未使用時には、スライド体５を鞘体７に形成のスライド孔６に挿入し、上体１を鞘体７の上に折り畳むと共に、下体２はスライド体５の裏面に接するように折り畳む。この折り畳んだ姿態は、スライド体５の長さであり、現在市販の長さとほぼ同じでコンパクトである。
一方、使用時には、上体１を起こし、スライド体５を伸長させ、且つ、下体２を伸長させて使用するので、携帯電話の全長は、上体１、スライド体５、鞘体７及び下体２の長さとなる。そして、この状態で、上体１に付設のスピーカ１０を耳に当てると、下体２はスライド体５で延設され、マイク１４、１４ａの位置は現在の市販のものよりも下に位置する。
即ち、電磁波を発生する制御装置が内蔵の下体２はスライド体５又は及び鞘体７の長さだけ、下に位置し、脳から電磁波の発生源迄の長さは、スライド体５の長さだけ遠ざかる。
その結果、電磁波の強度は、弱くなり、悪影響の低減を図ることができる。
【０００９】
尚、前記、図１（Ａ）に示す携帯電話は、鞘体７を下体２に形成してあるが、上体１に形成してもよい。
又、前記スライド体は一個で形成してあるが、例えば、２個の上スライド体と下スライド体を曲折可能に連結し、上体に上スライド体を収納する上スライド孔を形成し、下体に下スライド体を収納する下スライド孔を形成してもよく、各々未使用時には各スライド孔に収納すると共に上体と下体を曲折することによってコンパクトな携帯電話となる。
【００１０】
一方、使用時には、各々のスライド体を伸長させることによって、上体に内蔵のスピーカを耳に当てると、電磁波を発生する下体は２個のスライド体の長さだけ脳から遠くなるので、電磁波の影響を弱めることができる。
又、前記図１（Ａ）に示す携帯電話と異なり、図１（Ｂ）に示すように、鞘体７がなく、その鞘体に替えて、上体１にスライド体５を回動可能に付設し、下体２にスライド体５の挿入孔を形成する構成であってもよいし、その逆に、下体２にスライド体５を回動可能に付設し、上体１にスライド体５の挿入孔を形成する構成であってもよい。
【００１１】
以上のように、上体１と制御装置（電磁波発生源）を内蔵の下体２の位置を伸長する構成としてスライド体を用いて上体１と下体２を連結して構成するものであるが、そのスライド体の数、そのスライド体を収納するスライド孔を鞘体の他に上体１又は下体２に形成したり、上体１又は下体２を曲折可能に形成する等、その構造は適宜選択して構成することができる。
【００１２】
次に、図２は、３つ折りの携帯電話を示し、上体１と下体２の構成は図１と同じである。
薄板状の中体２０の前後に曲折可能に上体１と下体２が連結してある。
そして、上体１にはマイク１０の他に液晶画面１１が取り付けてあり、下体２には制御装置等が内蔵してあると共に、表面側に押し釦、裏面側にマイク１４が付設してある。
この携帯電話は、未使用時には、中体２０の表面に上体１を折り重ねると共に、中体２０の裏面側に下体２を折り重ねることによってコンパクトである。
【００１３】
一方、使用時には、中体２０に対して、上体１と下体２を伸長し、上体１のスピーカ１０に耳に当てると、下体２の裏面側に取り付けてあるマイク１４がほぼ口元に位置する。その結果、電磁波を発生する制御装置が内蔵の下体２は中体２０の長さだけ脳から電磁波の発生源迄の長さが長くなり、電磁波の強度が弱くなり悪影響の低減を図ることができる。
【００１４】
尚、前記上体１、中体２０及び下体２で構成の携帯電話は、中体２０の上に上体１を折り畳み、この上体１の上に下体２を折り畳んでも良いし、中体２０の上に下体２を折り畳み、この下体２の上に上体１を折り畳んでも良い。
以上のように、携帯電話の構成として、スライド体５、鞘体７、中体２０等を適宜、目的に合わせて組み合せることによって、未使用時には短く折り畳むことができ、使用時には脳波の影響を減少させるようにスピーカとマイク位置を長く構成することができる。
【図面の簡単な説明】
【００１５】
【図１】（Ａ）はスライド体を付設の携帯電話の図、（Ｂ）は他の構成の携帯電話の図である。
【図２】３つ折り可能な携帯電話の図である。
【符号の説明】
【００１６】
１  上体
２  下体
５  スライド体
７  鞘体
１０  スピーカ
１４  マイク
２０  中体
【図１】
2005354311.tif 000003
【図２】
2005354311.tif 000004